(57)【要約】【課題】簡単な構成で装置内溜まった熱を効率良く廃熱して機内温度の上昇を抑制し、汚染物による機内汚染を効率良く除去することができる装置の外装を提供する。【解決手段】複数のパネル体１１０を用いて装置本体の外周を覆う外装が構成される装置の外装構造１００において、複数のパネル体１１０として、遮蔽用パネル１１１、放熱用パネル１１２、及び機内飛散用パネル１１３を備え、装置側に設けられた枠体１２０を介して装置の処理態様に応じてそれぞれ遮蔽用パネル１１１、放熱用パネル１１２、及び機内飛散用パネル１１３を適宜に組合せて構成したことを特徴とするものとする。【選択図】図１
2008015124.tif 000002
【特許請求の範囲】
【請求項１】
複数のパネル体を用いて装置本体の外周を覆う外装が構成される装置の外装構造において、
前記複数のパネル体は、複数種類のパネル体を含み、装置の処理態様に応じて前記複数種類のパネル体を組合せて配置することを特徴とする装置の外装構造。
【請求項２】
前記装置の処理態様は、装置内の発熱源の放熱処理、または装置内の浮遊汚染物の回収処理を含むことを特徴とする請求項１に記載の装置の外装構造。
【請求項３】
前記装置本体とパネル体との間には、前記パネル体の形状に対応した枠体を配置することを特徴とする請求項１または２に記載の装置の外装構造。
【請求項４】
前記複数種類のパネル体は、少なくとも遮蔽用パネル体、放熱用パネル体、及び浮遊汚染物回収パネル体を含むこと特徴とする請求項１乃至３のうちの何れか一項に記載の装置の外装構造。
【請求項５】
前記放熱用パネル体は、前記遮蔽用パネルに相当するパネル体に送風手段が設けられたものであって、少なくとも前記送風手段と対向するパネル体壁面に通風孔が形成されていることを特徴とする請求項４に記載の装置の外装構造。
【請求項６】
前記汚染物回収パネルは、前記遮蔽用パネルに相当するパネル体に送風手段と汚染物回収フィルタとが設けられたものであって、少なくとも前記送風手段または汚染物回収フィルタと対向するパネル体壁面に通風孔が形成されていることを特徴とする請求項４に記載の装置の外装構造。
【請求項７】
前記送風手段は、排気ファンまたは吸気ファンとすることを特徴とする請求項５または６に記載の装置の外装構造。
【請求項８】
前記複数のパネル体は、隣接するパネル体同士間に装置内部と外部とを連通する間隙を有して配置されることを特徴とする請求項１乃至７のうちの何れか一項に記載の装置の外装構造。
【請求項９】
前記間隙は、前記パネル体の表面に対して傾斜して形成されていることを特徴とする請求項８に記載の装置の外装構造。
【請求項１０】
現像剤によって現像剤像が形成される静電潜像担持体を有する画像形成部と、記録媒体を搬送する搬送ベルトを備えて該搬送ベルトにより搬送された記録媒体または該搬送ベルト上に静電潜像担持体上で顕像化された現像剤像を転写する転写ユニットと、該記録媒体上に転写された現像剤像を記録媒体に定着させる定着装置と、印字処理が終了した用紙が排出搬送される搬送部とを備えて印字要求に応じて画像出力を行う画像形成装置において、
複数のパネル体を用いて画像形成装置本体の外周を覆う外装構造は、請求項１乃至９のうちの何れか一項に記載の装置の外装構造で構成されることを特徴とする画像形成装置。
【請求項１１】
前記複数のパネル体のうちの放熱用パネルは、少なくとも定着装置の発熱源部、電源基板の放熱部材部、印字処理が終了した用紙が排出搬送される搬送部または該画像形成装置に搭載される原稿読取装置の光源のホームポジションに対応する位置に配置されることを特徴とする請求項１０に記載の画像形成装置。
【請求項１２】
前記複数のパネル体のうちの浮遊汚染物回収パネル体は、少なくとも前記画像形成部における現像部のトナー飛散が生じる部分または画像を形成するプロセスユニットのクリーニング部に対応する位置に配置されることを特徴とする請求項１０または１１に記載の画像形成装置。
【発明の詳細な説明】
【技術分野】
【０００１】
本発明は、装置の外装構造及びこれを用いた画像形成装置に係り、特に、駆動部や発熱源を有する装置における装置内に溜まった熱の放熱や通風を行なうための外装構造及びこれを用いた画像形成装置に関する。
【背景技術】
【０００２】
装置の外装は、装置内の駆動部や発熱源等をユーザが直接触られないようにすることを一目的として、装置外観の美的向上や機能を追及してデザインされている。
【０００３】
一般に、装置の外装は、図１４，図１５に示すように、例えば、原稿読取部用外装５００として、１枚板のパネル状部材５１０を装置のフレーム（図示省略）にビス固定、若しくは嵌め合い固定するようにしたものが知られている。図中の符号５１０ｂは固定ビス用の取付孔である。
【０００４】
また、発熱源や飛散源が装置内にある時は、外装の一部に排気口（通風孔）５１０ｃを開け、そこにファンやフィルタ等を介在させて装置内温度の低下、飛散部材の回収を行っている。
【０００５】
例えば、従来技術として、駆動部や定着部等の発熱源を有する画像形成装置において、外装パネル間に装置内の冷却風を導く通路を形成し、装置内の冷却風及び浮遊塵埃等を排気装置にて一括して除塵フィルタを通して装置底部より装置外に排出するようにしたものが提案されている（特許文献１を参照）。
【特許文献１】特開平０１−３２１４４７号公報
【発明の開示】
【発明が解決しようとする課題】
【０００６】
しかしながら、上述したような発熱源や飛散源が装置内の複数箇所にある時は、各々の源をダクトで連結して放熱したり回収したりするような構成となるため、ダクト配管による装置の大型化や外装構成の繁雑化を招来している。
【０００７】
本発明は、上記従来の問題点を鑑みてなされたものであって、簡単な構成で、装置内溜まった熱を効率良く廃熱して機内温度の上昇を抑制し、汚染物による機内汚染を効率良く除去することができる装置の外装を提供することを目的とするものである。
【課題を解決するための手段】
【０００８】
上述した課題を解決するための本発明に係る転写機構の構成は、次の通りである。
請求項１に記載した装置の外装構造は、複数のパネル体を用いて装置本体の外周を覆う外装が構成される装置の外装構造において、前記複数のパネル体として、複数種類のパネル体を含み、装置の処理態様に応じて前記複数種類のパネル体を組合せて配置することを特徴とするものである。
【０００９】
請求項２に記載した装置の外装構造は、請求項１に記載した構成に加えて、前記装置の処理態様として、装置内の発熱源の放熱処理、または装置内の浮遊汚染物の回収処理を含むことを特徴とするものである。
【００１０】
請求項３に記載した装置の外装構造は、請求項１また２に記載した構成に加えて、前記装置本体とパネル体との間には、パネル体の形状に対応した枠体を配置することを特徴とするものである。
【００１１】
請求項４に記載した装置の外装構造は、請求項１乃至３のうちの何れか一項に記載した構成に加えて、前記複数種類のパネル体として、少なくとも遮蔽用パネル体、放熱用パネル体、及び浮遊汚染物回収パネル体を含むこと特徴とするものである。
【００１２】
請求項５に記載した装置の外装構造は、請求項４に記載した構成に加えて、前記放熱用パネル体を、前記遮蔽用パネルに相当するパネル体に送風手段を設けたものとして、少なくとも前記送風手段と対向するパネル体壁面に通風孔が形成されていることを特徴とするものである。
【００１３】
請求項６に記載した装置の外装構造は、請求項４に記載した構成に加えて、前記汚染物回収パネルを、前記遮蔽用パネルに相当するパネル体に送風手段と汚染物回収フィルタとを設けたものとして、少なくとも前記送風手段または汚染物回収フィルタと対向するパネル体壁面に通風孔が形成されていることを特徴とするものである。
【００１４】
請求項７に記載した装置の外装構造は、請求項５または６に記載した構成に加えて、前記送風手段として、排気ファンまたは吸気ファンを用いることを特徴とするものである。
【００１５】
請求項８に記載した装置の外装構造は、請求項１乃至７のうちの何れか一項に記載した構成に加えて、前記複数のパネル体を、隣接するパネル体同士間に装置内部と外部とを連通する間隙を有して配置することを特徴とするものである。
【００１６】
請求項９に記載した装置の外装構造は、請求項８に記載した構成に加えて、前記間隙を、前記パネル体の表面に対して傾斜して形成したことを特徴とするものである。
すなわち、前記間隙は、装置の内外を斜めに連通するように構成されるものであり、例えば、前記パネル体の表面に沿った上下方向及び左右方向（横方向）に対して斜めに形成されるものを含むものとする。
【００１７】
また、請求項１０に記載した画像形成装置は、現像剤によって現像剤像が形成される静電潜像担持体を有する画像形成部と、記録媒体を搬送する搬送ベルトを備えて該搬送ベルトにより搬送された記録媒体または該搬送ベルト上に静電潜像担持体上で顕像化された現像剤像を転写する転写ユニットと、該記録媒体上に転写された現像剤像を記録媒体に定着させる定着装置と、印字処理が終了した用紙が排出搬送される搬送部とを備えて印字要求に応じて画像出力を行う画像形成装置において、複数のパネル体を用いて画像形成装置本体の外周を覆う外装構造を、請求項１乃至９のうちの何れか一項に記載の装置の外装構造で構成することを特徴とするものである。
【００１８】
請求項１１に記載した画像形成装置は、請求項１０に記載した構成に加えて、前記複数のパネル体のうちの放熱用パネルを、少なくとも定着装置の発熱源部、電源基板の放熱部材部、印字処理が終了した用紙が排出搬送される搬送部または該画像形成装置に搭載される原稿読取装置の光源のホームポジションに対応する位置に配置することを特徴とするものである。
【００１９】
請求項１２に記載した画像形成装置は、請求項１０または１１に記載した構成に加えて、前記複数のパネル体のうちの浮遊汚染物回収パネル体を、少なくとも前記画像形成部における現像部のトナー飛散が生じる部分または画像を形成するプロセスユニットのクリーニング部に対応する位置に配置することを特徴とするものである。
【発明の効果】
【００２０】
請求項１に記載した発明によれば、複数のパネル体を用いて装置本体の外周を覆う外装が構成される装置の外装構造において、前記複数のパネル体として、複数種類のパネル体を含み、装置の処理態様に応じて前記複数種類のパネル体を組合せて配置することで、簡単に外装を構成することができ、しかも装置の処理態様に応じて簡単に外装のレイアウトを変更することができる。
【００２１】
例えば、パネル体を単体で着脱可能なパネル形状、いわゆる「スライドパネル」形状にして、装置の処理態様に応じてそれぞれの処理に適したパネル体を適宜に組合せて配置することで、装置内に溜まった熱を効率良く廃熱して機内温度の上昇を抑制したり、汚染物による機内汚染を効率良く除去したりすることができる。
【００２２】
また、請求項２〜９に記載の発明によれば、請求項１に記載の発明で得られる上記共通の効果に加え、次の効果を得ることができる。
【００２３】
すなわち、請求項２に記載した発明によれば、前記装置の処理態様として、装置内の発熱源の放熱処理、または装置内の浮遊汚染物の回収処理を含むものとすることで、それぞれの処理態様に応じたパネル体を適宜に組合せて、発熱源の放熱処理や浮遊汚染物の回収処理を容易に行うことができる。
【００２４】
請求項３に記載した発明によれば、請求項１または２に記載の発明で得られる効果に加えて、前記装置本体とパネル体との間は、パネル体の形状に対応した枠体を配置することで、パネル体の装着を容易に行うことができ、作業性の向上を図ることができる。
【００２５】
請求項４に記載した発明によれば、請求項１乃至３のうちの何れか一項に記載の発明で得られる効果に加えて、前記複数種類のパネル体として、少なくとも遮蔽用パネル体、放熱用パネル体、及び浮遊汚染物回収パネル体を含むことで、通常のカバー処理、放熱処理、及び汚染物回収処理に対応して、簡単にパネルレイアウトを行うことができる。
【００２６】
請求項５に記載した発明によれば、請求項４に記載の発明で得られる効果に加えて、前記放熱用パネル体を、前記遮蔽用パネルに相当するパネル体に送風手段を設けたものとして、少なくとも前記送風手段と対向するパネル体壁面に通風孔を形成することで、構成部品を共通化でき、処理態様に応じてパネル体の交換が容易にできるのでレイアウトの変更を容易に行なうことができる。
【００２７】
請求項６に記載した発明によれば、請求項４に記載の発明で得られる効果に加えて、前記汚染物回収パネルを、前記遮蔽用パネルに相当するパネル体に送風手段と汚染物回収フィルタとを設けたものとして、少なくとも前記送風手段または汚染物回収フィルタと対向するパネル体壁面に通風孔を形成することで、構成部品を共通化でき、処理態様に応じてパネル体の交換が容易にできるのでレイアウトの変更を容易に行なうことができる。
【００２８】
請求項７に記載した発明によれば、請求項５または６に記載の発明で得られる効果に加えて、前記送風手段として、排気ファンまたは吸気ファンを用いることで、パネル体を交換するだけで、装置内の空気の排気や装置内への外気の導入を容易に行うことができる。
【００２９】
請求項８に記載した発明によれば、請求項１乃至７のうちの何れか一項に記載の発明で得られる効果に加えて、前記複数のパネル体を、隣接するパネル体同士間に装置内部と外部とを連通する間隙を有して配置することで、特別にパネル体に通風孔を設けることなく、単にパネル体を配置するだけで通風路を容易に構成することができる。
【００３０】
請求項９に記載した発明によれば、請求項８に記載の発明で得られる効果に加えて、前記間隙を、前記パネル体の表面に対して傾斜して形成することで、装置内部を正面から見え難くして装置外観を良好にするとともに、装置内外の温度差による空気の流れにより通気を良好にすることができる。
【００３１】
また、請求項１０に記載した発明によれば、現像剤によって現像剤像が形成される静電潜像担持体を有する画像形成部と、記録媒体を搬送する搬送ベルトを備えて該搬送ベルトにより搬送された記録媒体または該搬送ベルト上に静電潜像担持体上で顕像化された現像剤像を転写する転写ユニットと、該記録媒体上に転写された現像剤像を記録媒体に定着させる定着装置と、印字処理が終了した用紙が排出搬送される搬送部とを備えて印字要求に応じて画像出力を行う画像形成装置において、複数のパネル体を用いて画像形成装置本体の外周を覆う外装構造を、請求項１乃至９のうちの何れか一項に記載の装置の外装構造で構成するようにしたので、簡単に画像形成装置の外装を構成することができ、しかも画像形成装置の処理態様に応じて簡単に外装のレイアウトを変更することができる。
【００３２】
例えば、パネル体を単体で着脱可能なパネル形状、いわゆる「スライドパネル」形状にして、画像形成装置の処理態様に応じてそれぞれの処理に適したパネル体を適宜に組合せて配置することで、画像形成装置内に溜まった熱を効率良く廃熱して機内温度の上昇を抑制したり、汚染物による機内汚染を効率良く除去したりすることができる。
【００３３】
請求項１１に記載した発明によれば、請求項１０に記載の発明で得られる効果に加えて、前記複数のパネル体のうちの放熱用パネルを、少なくとも定着装置の発熱源部、電源基板の放熱部材部、印字処理が終了した用紙が排出搬送される搬送部または原稿読取装置の光源のホームポジションに対応する位置に配置することで、パネル体を変更するだけで排熱が必要な部位から局部的に効率よく排熱することができるので、基本的な外装構造を大きく変更することなく容易に最適な外装のレイアウトを行なうことができる。
【００３４】
請求項１２に記載した発明によれば、請求項１０または１１に記載の発明で得られる効果に加えて、前記複数のパネル体のうちの浮遊汚染物回収パネル体を、少なくとも前記画像形成部における現像部のトナー飛散が生じる部分または画像を形成するプロセスユニットのクリーニング部に対応する位置に配置することで、パネル体を変更するだけで汚染物の回収が必要な部位から局部的に効率よく汚染物を回収することができるので、基本的な外装構造を大きく変更することなく容易に最適な外装のレイアウトを行なうことができる。
【発明を実施するための最良の形態】
【００３５】
（第１実施形態）
以下、本発明の実施の形態について図面を参照して詳細に説明する。
図１〜図３は本発明を実施する形態の一例であって、図１（ａ）は本発明の第１実施形態に係る装置の外装構造の構成を示す平面視による概略図、（ｂ）は前記外装構造の構成を示す側面視による概略図、図２は前記外装構造を構成するパネル体の構成を示す説明図であって、（ａ）は遮蔽用パネルの構成を示す側面図、（ｂ）は放熱用パネルの構成を示す側面図、（ｃ）は機内飛散用パネルの構成を示す側面図、図３は前記外装構造を構成する枠体の構成を示す部分説明図である。
【００３６】
本実施形態に係る装置の外装構造１００は、図１，図２に示すように、それぞれ別体で構成された複数のパネル体１１０を用いて装置本体の外周を覆う外装を構成するものである。複数のパネル体１１０は、主に、遮蔽用パネル１１１、放熱用パネル１１２、及び機内飛散用パネル１１３により構成され、装置側に設けられた枠体１２０を介して装置の処理態様に応じてそれぞれ遮蔽用パネル１１１、放熱用パネル１１２、及び機内飛散用パネル１１３を適宜に組合せて構成されている。
【００３７】
本実施形態において装置の処理態様は、外装構造１００により装置の外周を覆うカバーロングと、装置内の発熱源の放熱処理及び装置内の浮遊汚染物の回収処理を行なうようになっている。
【００３８】
遮蔽用パネル１１１は、装置内部を外部からカバーリングするもので、図１に示すように、平面視で矩形状を呈し、図２（ａ）、図３に示すように、装置内側に向かって逆Ｕ字状に図中下方向に向かい湾曲して突出したフック１１１ａが幅方向両側部の２カ所に形成されている。
【００３９】
フック１１１ａは、パネルを装置に対して位置決めするとともに図中下方向への落下を防止するものである。フック１１１ａの下側には、枠体１２０に固定するためのビス１３０用の取付孔１１１ｂが２カ所に形成されている。
【００４０】
放熱用パネル１１２は、装置内部に発生した熱を排熱する機能を有するもので、図１に示すように、平面視で遮蔽用パネル１１１と同形の矩形状を呈し、図２（ｂ）、図３に示すように、遮蔽用パネル１１１と同様に装置内側に向かって逆Ｕ字状に図中下方向に向かい湾曲して突出したフック１１２ａが幅方向両側部の２カ所に形成されている。フック１１２ａの下側には、枠体１２０に固定するためのビス１３０用の取付孔１１２ｂが２カ所に形成されている。
【００４１】
また、放熱用パネル１１２は、装置内部に対向する面（以下、裏側面と称する。）には、平面矩形状の吸気ファン１１４がパネルの投影面内に収まるように設けられている。
さらに、放熱用パネル１１２の吸気ファン１１４と対向する位置には、パネル表裏両側を連通する複数の通風孔１１２ｃが形成されている。
【００４２】
機内飛散用パネル１１３は、装置内部に飛散するトナーや浮遊する塵埃を回収する機能を有するもので、図１に示すように、平面視で遮蔽用パネル１１１および放熱用パネル１１２と同形の矩形状を呈し、図２（ｃ）、図３に示すように、遮蔽用パネル１１１および放熱用パネル１１２と同様に装置内側に向かって逆Ｕ字状に図中下方向に湾曲して突出したフック１１３ａが幅方向両側部の２カ所に形成されている。フック１１３ａの下側には枠体１２０に固定するためのビス１３０用の取付孔１１３ｂが２カ所に形成されている。
【００４３】
また、機内飛散用パネル１１３は、装置内部に対向する裏側面には、平面矩形状の排気ファン１１５がパネルの投影面内に収まるように設けられ、この排気ファン１１５の排気方向上流側にフィルタ１１６が設けられている。
さらに、機内飛散用パネル１１３の吸気ファン１１４と対向する位置には、パネル表裏両側を連通する複数の通風孔１１３ｃが形成されている。
【００４４】
装置側にはカバーする部分に沿って枠体１２０が設けられ、この枠体１２０にそれぞれ遮蔽用パネル１１１、放熱用パネル１１２及び機内飛散用パネル１１３が適宜に取付け可能になっている。
【００４５】
枠体１２０は、図３に示すように、各パネルのフックが掛けられる横バー１２１と、横枠１２２とが略水平方向で且つ略平行に交互に配置されている。この横枠１２２には、パネル体１１０をビス止めするためのねじ孔１２２ａがパネル体１１０の取付位置に対応して複数箇所に形成されている。
【００４６】
以上のように構成したので、本実施形態によれば、装置をカバーする場合に、装置内に熱源やトナーや塵埃等の汚染源があっても、図１に示すように、遮蔽用パネル１１１、放熱用パネル１１２、及び機内飛散用パネル１１３を適宜に配置することにより局所的に効率よく装置内部を冷却したり汚染物を回収することができる。
【００４７】
また、本実施形態によれば、遮蔽用パネル１１１、放熱用パネル１１２、及び機内飛散用パネル１１３を別体で構成するとともに、それらの外形を同形状に構成したので、レイアウトの変更を容易に行うことができる。
【００４８】
さらに、本実施形態によれば、装置側に枠体１２０を配置して、枠体１２０に遮蔽用パネル１１１、放熱用パネル１１２、及び機内飛散用パネル１１３をそれぞれ位置決め固定可能に構成したので、組付け、交換作業を容易にして作業性の向上を図ることができる。
【００４９】
次に、本実施形態に係る外装構造の一実施例について図面を参照して説明する。
図４は本実施形態に係る外装構造の一実施例の構成を示す平面図、図５は図４における外装構造のＡ−Ａ断面矢視図、図６は図４における外装構造のＢ−Ｂ断面矢視図である。
【００５０】
本実施例における外装構造２００は、図４に示すように、パネル体２１０として複数の遮蔽用パネル２１１と放熱用パネル２１２とを装置側に設けられた枠体２２０に配置したものである。
尚、本実施例における遮蔽用パネル２１１及び放熱用パネル２１２は、前述した実施形態における遮蔽用パネル１１１及び放熱用パネル１１２と略同様の形状を呈し、これらに形成されるフック１１１ａ，１１２ａおよび取付孔１１１ｂ，１１２ｂと同様な構成を有するものである。従って、遮蔽用パネル２１１及び放熱用パネル２１２について、基本的な構成は図示省略するとともに説明を省略し、特徴的な構成について説明する。
【００５１】
遮蔽用パネル２１１は、図５に示すように、側方断面視で略菱形状となるように、上端部２１１ｄ及び下端部２１１ｅがパネルの表面に対して傾斜角θａ〜θｃ傾斜して裏側から表側に向かい下方に傾斜したクサビ状に形成されている。これら上端部２１１ｄ及び下端部２１１ｅの形状は点対称で形成されており、すなわち、隣接する遮蔽用パネル２１１の上端部２１１ｄと下端部２１１ｅとの傾斜部が重なり合うようになっている。
【００５２】
また、遮蔽用パネル２１１は、図６に示すように、水平方向断面で略菱形状となるように、両側端部２１１ｆ，２１１ｇがパネルの表面に対して傾斜角θｄ〜θｅ傾斜して裏側から表側に向かい傾斜したクサビ状に形成されている。これら両側端部２１１ｆ，２１１ｇの形状は点対称の形状で形成されており、すなわち、隣接する遮蔽用パネル２１１の一側端部２１１ｆと他側端部２１１ｇとの傾斜部が重なり合うようになっている。
【００５３】
そして、隣接する遮蔽用パネル２１１同士は、それぞれの上端部２１１ｄと下端部２１１ｅ、及び一側端部２１１ｆと他側端部２１１ｇとがそれぞれ所定の間隙Ｄ０をもって重なり合うように配置されている。すなわち、隣接する遮蔽用パネル２１１によって構成される間隙Ｄ０によって、装置内部と外部とが通気可能に構成されている。
【００５４】
尚、本実施形態では、それぞれのパネル端部の傾斜角θａ〜θｅは同じ傾斜角としているが、傾斜角度を異ならせることで、間隙Ｄ０がパネル設置場所によって異なるようにしたものであっても良い。また、それぞれのパネル端部の傾斜角度を異ならせることで、間隙Ｄ０で形成される通気通路の断面形状をテーパ形状にしても良い。
【００５５】
また、外装構造２００の外周縁に配置される遮蔽用パネル２１１は、外周縁に相当する端部がクサビ状ではない平面で形成されている。これにより外装構造２００の外観を良好にしている。
【００５６】
放熱用パネル２１２は、外観形状については上述した遮蔽用パネル２１１と同様な形状で構成されているため説明を省略し、特徴的な構成について説明する。
【００５７】
放熱用パネル２１２は、図４〜図６に示すように、遮蔽用パネル２１１と隣接する下端部２１２ｅと一側端部２１２ｆとがパネルの表面に対して傾斜して裏側から表側に向かい傾斜したクサビ状に形成され、外装構造２００の外周縁に配置される上端部２１２ｄと他側端部２１２ｇとがクサビ状ではない平面で形成されている。これにより外装構造２００の外観を良好にしている。
【００５８】
放熱用パネル２１２の装置内部に対向する裏側面には、図５，図６に示すように、平面矩形状の吸気ファン２１４が実施形態と同様にパネルの投影面内に収まるように設けられている。
【００５９】
また、放熱用パネル２１２の吸気ファン２１４と対向する位置には、パネル表裏両側を連通する複数の通風孔２１２ｃが形成されている。放熱用パネル２１２は、装置内部に配置された熱源２１５に対向する位置に配置され、吸気ファン２１４により通風孔２１２ｃを通って装置外側から取り込まれた外気を熱源２１５に向かい送風して熱源２１５を空冷するようになっている。
図中の符号２２４は放熱用パネル２１２に対向して形成された開口部、２２５は遮蔽用パネル２１１に対向して形成された開口部である。
【００６０】
尚、放熱用パネル２１２への吸気ファン２１４の取付けは、フィルタ（図示省略）を介して取付けるようにしても良い。このように構成することで、外部に浮遊する塵埃等が装置内部に取り込まれることを防止できる。
【００６１】
枠体２２０は、装置側のカバーする部分に沿って設けられ、基本構成は前述した実施形態と同様な構成を有するものであって、この枠体２２０にそれぞれ遮蔽用パネル２１１、放熱用パネル２１２及び機内飛散用パネル２１３が適宜に取付け可能になっている。
【００６２】
以上のように構成したので、本実施例によれば、前述した実施形態による作用、効果に加えて、遮蔽用パネル２１１及び放熱用パネル２１２の隣接するパネルと対向する端部、すなわち、遮蔽用パネル２１１の上端部２１１ｄ、下端部２１１ｅ及び両側端部２１１ｆ，２１１ｇと、放熱用パネル２１２の下端部２１２ｅ及び一側端部２１２ｆの形状をパネルの表面に対して傾斜して裏側から表側に向かい下方に傾斜したクサビ状に形成したので、隣接するパネル同士によって傾斜して構成される間隙Ｄ０によって装置内部と外部との通気を良好にするとともに、装置内部を正面から見え難くして装置外観を良好にできる。
【００６３】
尚、本実施例の枠体２２０は、前述した実施形態の枠体１２０と同様に横バーと横枠とにより構成しているが、本発明は枠体の構成に限定されるものではなく、以下に本実施例の変形例を示す。
図７は本実施例の枠体の構成の変形例を示す部分説明図である。
【００６４】
変形例は、図７に示すように、枠体３２０を縦枠３２１と横枠３２２とにより格子状に形成したものである。縦枠３２１と横枠３２２は、これに配置されるパネル体３１０の形状に応じてパネル体３１０は取付可能な幅で構成されている。
【００６５】
縦枠３２１には、前述した実施形態及び実施例におけるパネル体と同様に形成されたフック（図示省略）が係止される取付孔３２１ｂと、パネル体３１０を固定するためのビス（図示省略）用のねじ孔３２１ａが形成されている。
【００６６】
ねじ孔３２１ａと取付孔３２１ｂは、パネル体３１０の形状や固定位置に応じて適宜形成されるものであり、枠体３２０の構成によっては縦枠３２１に限定されるものではなく、横枠３２２に形成しても良い。
図中の符号３２３は開口部である。
【００６７】
また、本発明はパネル体の形状を上述した実施形態や実施例に記載した形状のみに限定するものではなく、以下に、上記実施例の変形例を示す。
図８は本発明に係る外装構造の構成の変形例を示す平面図、図９は図８における外装構造のＣ−Ｃ断面矢視図、図１０は図８における外装構造のＥ−Ｅ断面矢視図である。
【００６８】
変形例は、図８〜図１０に示すように、外装構造４００を構成するパネル体４１０として複数の遮蔽用パネル４１１と放熱用パネル４１２とを装置側に設けられた枠体４２０に配置したものであり、遮蔽用パネル４１１と放熱用パネル４１２との重なり合う端部を略Ｌ字状の段違い形状に構成したものである。
【００６９】
遮蔽用パネル４１１は、図９に示すように、上端部４１１ｄが略Ｌ字状の段違い形状に構成され、下端部４１１ｅが該上端部４１１ｄの一部が下側に入り込むように形成されている。すなわち、隣接する遮蔽用パネル４１１の上端部４１１ｄと下端部４１１ｅとが平面的に重なり合うようになっている。
【００７０】
また、遮蔽用パネル４１１は、図１０に示すように、一側端部４１１ｆが略Ｌ字状の段違い形状に構成され、一側端部４１１ｆの一部が他側端部４１１ｇの下側に入り込むように形成されている。すなわち、隣接する遮蔽用パネル４１１の一側端部４１１ｆと他側端部４１１ｇとが平面的に重なり合うようになっている。
【００７１】
放熱用パネル４１２は、図８〜図１０に示すように、遮蔽用パネル４１１と隣接する一側端部４１２ｆが略Ｌ字状の段違い形状に構成され、一側端部４１２ｆの一部が他側端部４１１ｇの下側に入り込むように形成されている。また、下端部４１２ｅが遮蔽用パネル４１１の上端部４１１ｄの一部が入り込むように形成されている。
【００７２】
また、外装構造４００の外周縁に配置される上端部４１２ｄと他側端部４１２ｇとが平面で形成されている。これにより外装構造４００の外観を良好にしている。
【００７３】
放熱用パネル４１２の装置内部に対向する裏側面には、図９，図１０に示すように、平面矩形状の吸気ファン４１４が実施形態と同様にパネルの投影面内に収まるように設けられている。
【００７４】
また、放熱用パネル４１２の吸気ファン４１４と対向する位置には、パネル表裏両側を連通する複数の通風孔４１２ｃが形成されている。放熱用パネル４１２は、装置内部に配置された熱源２１５に対向する位置に配置され、吸気ファン４１４により通風孔４１２ｃを通って装置外側から取り込まれた外気を熱源４１５に向かい送風して熱源４１５を空冷するようになっている。
図中の符号４２４は放熱用パネル４１２に対向して形成された開口部、４２５は遮蔽用パネル４１１に対向して形成された開口部である。
【００７５】
このように構成することで、パネル体４１０の基本となる形状を簡略化できるので、低コストで製作でき、組付け、交換作業を容易にして作業性の向上を図ることができる。
【００７６】
（第２実施形態）
次に、本発明に係る転写機構１０が搭載された画像形成装置１Ａについて図面を参照して詳細に説明する。
図１１は本発明の第２実施形態に係る外装構造が採用された画像形成装置の全体の構成を示す説明図、図１２は前記画像形成装置の装置本体の構成を示す部分詳細図である。
【００７７】
本実施形態に係る画像形成装置１Ａは、現像剤（トナー）によって現像剤像（トナー像）が形成される感光体ドラム（静電潜像担持体）３を有する画像形成部１４と、用紙Ｐを搬送する転写ベルト（搬送ベルト）１０３を備えて該転写ベルト１０３により搬送された用紙Ｐ上に感光体ドラム３上で顕像化されたトナー像を転写する転写ユニット１０Ａを備えた転写機構１０と、用紙Ｐ上に転写されたトナー像を用紙Ｐに定着させる定着ユニット（定着装置）６と、印字処理が終了した用紙Ｐが排出搬送される搬送部とを備えて印字要求に応じて画像出力を行う画像形成装置において、画像形成装置本体の外周を覆う外装構造として、本発明に係るに装置の外装構造を採用したものである。
【００７８】
まず、本実施形態に係る画像形成装置１Ａの全体構成について図面を参照して説明する。
画像形成装置１Ａは、図１１，図１２に示すように、主に、露光ユニット１、現像器２、感光体ドラム３、帯電器４、除電装置４１、クリーナユニット５、定着ユニット６、用紙搬送路７、給紙トレイ８、排紙トレイ９及び転写機構１０等より構成される装置本体１Ａ１と、自動原稿処理装置１Ａ２とにより構成されている。
【００７９】
装置本体１Ａ１の上面部には、原稿が載置される透明ガラスからなる原稿載置台２１が設けられ、この原稿載置台２１の上方には、自動原稿処理装置１Ａ２が上方に向かい揺動開放自在に設けられ、一方、この原稿載置台２１の下方には、原稿の画像情報を読み取る原稿読み取り部であるスキャナ部２２が配置されている。
【００８０】
そのスキャナ部２２の下方には、露光ユニット１、現像器２、感光体ドラム３、帯電器４、除電装置４１、クリーナユニット５、定着ユニット６、用紙搬送路７、排紙トレイ９及び転写機構１０が配設され、さらに、その下方には、用紙Ｐが収納された給紙トレイ８が配設されている。
【００８１】
露光ユニット１は、図示しない画像処理部から出力された画像データ（印字用画像情報）に応じてレーザ光を、帯電器４によって均一に帯電された感光体ドラム３の表面に照射して露光することにより、該感光体ドラム３の表面に画像データに応じた静電潜像を書込み形成する機能を有するものである。
【００８２】
露光ユニット１は、スキャナ部２２の直下で且つ感光体ドラム３上方に配置され、レーザ照射部１１および反射ミラー１２を備えたレーザスキャニングユニット（ＬＳＵ）１３ａ，１３ｂが採用されている。本実施形態では、高速印字処理を行う為に、複数のレーザ光を利用し、照射タイミングの高速化を低減する手法を採用し、２ビーム手法を採用している。
【００８３】
尚、本実施形態では、露光ユニット１にレーザスキャニングユニット（ＬＳＵ）１３ａ，１３ｂを用いているが、発光素子をアレイ状に並べたもの、例えばＥＬやＬＥＤ書込みヘッドを用いるものであっても良い。
【００８４】
感光体ドラム３は、図１２に示すように、円筒状を呈し、露光ユニット１の下方に配設され、図示しない駆動手段と制御手段により所定方向（図中の矢印Ａ方向）に回転するように制御されている。この感光体ドラム３の外周面に沿って、画像転写終了後の位置を基準として感光体ドラム回転方向下流側に向かい、用紙剥離爪３１、クリーナユニット５、電界発生部としての帯電器４、現像器２、除電装置４１の順に配置されている。
【００８５】
用紙剥離爪３１は、ソレノイド３２により感光体ドラム３の外周面に接離可能に配置されている。この用紙剥離爪３１は、感光体ドラム３の外周面に当接した状態で、感光体ドラム３上の未定着トナー像を用紙Ｐに転写する際にその感光体ドラム３の表面に張り付いた用紙Ｐを剥離するものである。
【００８６】
尚、用紙剥離爪３１の駆動手段として、ソレノイド３２の換わりに駆動用モータ等を採用しても良く、その他の駆動手段の選択も可能である。
【００８７】
現像器２は、感光体ドラム３上に形成された静電潜像を黒トナーで顕像化するものであって、感光体ドラム回転方向（図中の矢印Ａ方向）で帯電器４より下流側で感光体ドラム３の側方で略水平（図中で右側）に配置されている。この現像器２下方には記録媒体搬送方向上流側にレジストローラ１５が配置されている。
【００８８】
レジストローラ１５は、給紙トレイ８から供給された用紙Ｐの先端と感光体ドラム３上のトナー像とを整合して感光体ドラム３と転写ベルト１０３との間に搬送するように、図示しない駆動手段と制御手段とのより動作制御されている。
【００８９】
帯電器４は、感光体ドラム３の表面を所定の電位に均一に帯電させるための帯電手段であって、感光体ドラム３の上方でその外周面に近接して配置されている。
尚、本実施形態では、チャージャー型の帯電器４を用いているが、接触型のローラ方式によるものやブラシ方式によるものを用いるものであっても良い。
【００９０】
除電装置４１は、感光体ドラム３の表面に形成されたトナー像を用紙Ｐに転写し易くするために該感光体ドラム３の表面電位を低下させるための転写前除電手段であって、感光体ドラム回転方向で現像器２より下流側で、且つ該感光体ドラム３の下方でその外周面に近接して配置されている。
【００９１】
尚、本実施形態では、除電装置４１は、除電電極を用いて構成されているが、除電電極の替わりに除電ランプを用いたり、その他の方式により除電するようにしたものであっても良い。
【００９２】
クリーナユニット５は、現像・画像転写後における感光体ドラム３上の表面に残留したトナーを除去・回収するものであって、感光体ドラム３を挟んで現像器２と略対向する位置で感光体ドラム３の側方で略水平（図中で左側）に配置されている。
【００９３】
上述した様に、感光体ドラム３上で顕像化された静電像は、静電像が有する電荷の逆極性の電界が搬送される用紙Ｐ上に転写機構１０から印加されることで用紙Ｐ上に転写される。
例えば、静電像が（−）極性の電荷を有している時は、転写機構１０の印加極性は（＋）極性となる。
【００９４】
転写機構１０は、図１２に示すように、駆動ローラ１０１、従動ローラ１０２及び他のローラで架橋されるとともに、所定の抵抗値（本実施形態では１×１０９〜１×１０１３Ω・cmの範囲）を有する転写ベルト１０３が配置された転写ユニット１０Ａを有する転写ベルト式ユニットで構成され、感光体ドラム３の下方で、転写ベルト１０３の表面が感光体ドラム３の外周面の一部と接触するように配置されている。この転写ベルト１０３により、用紙Ｐを感光体ドラム３に押圧しながら搬送するようになっている。
【００９５】
感光体ドラム３と転写ベルト１０３の接触部１０４には、駆動ローラ１０１及び従動ローラ１０２とは異なる導電性で転写電界を印加可能な弾性導電性ローラ１０５が配置されている。
【００９６】
弾性導電性ローラ１０５は、弾性ゴム、発泡性樹脂等の軟質材料により構成されている。この弾性導電性ローラ１０５が弾性を有することで、感光体ドラム３と転写ベルト１０３とが線接触でなく、所定の幅（転写ニップと呼ばれる。）を有する面接触となるので搬送される用紙Ｐへの転写効率の向上を図ることができる。
【００９７】
更に、転写ベルト１０３の転写領域の用紙搬送方向下流側には、搬送される用紙Ｐが転写領域で印加された電界を除電し、次工程への搬送をスムーズに行う為の除電ローラ１０６が転写ベルト１０３の背面側に配置されている。
【００９８】
また、転写機構１０には、転写ベルト１０３の残留トナーによる汚れを取るクリーニングユニット１０７と、転写ベルト１０３の除電を行う複数の除電機構１０８が配置されている。この除電機構１０８に用いられる除電を行うための手法として、装置を介して接地する手法、若しくは積極的に前記転写電界の極性とは逆極性を印加する手法がある。
【００９９】
転写機構１０で用紙Ｐ上に転写された静電像（未定着トナー）は、定着ユニット６に搬送されて加圧・加熱されることで未定着トナーが溶融されて用紙Ｐ上に定着される。
【０１００】
定着ユニット６は、図１２に示すように、加熱ローラ６ａ、加圧ローラ６ｂとを備え、この加熱ローラ６ａと加圧ローラ６ｂとにより用紙Ｐを挟持した状態で加熱ローラ６ａを回転させ、加熱ローラ６ａと加圧ローラ６ｂとの間を通過させることにより、用紙Ｐ上に転写されたトナー像を溶融して定着させるものである。
【０１０１】
定着ユニット６の用紙搬送方向下流側には、用紙Ｐを搬送する搬送ローラ１６が設けられている。
【０１０２】
加熱ローラ６ａは、その外周部には用紙剥離爪６１１、ローラ表面温度検出部材（サーミスター）６１２、ローラ表面クリーニング部材６１３が配置され、内周部には加熱ローラ表面を所定温度（定着設定温度：概ね１６０〜２００℃）とする熱源６１４が設けられている。
【０１０３】
加圧ローラ６ｂは、ローラの両端部で加熱ローラ６ａに対し所定圧量で加圧ローラ６ｂが圧接することが可能な加圧部材６２１が配置され、さらに、加圧ローラ６ｂの外周には加熱ローラ６ａの外周と同様に用紙剥離爪６２２、ローラ表面クリーニング部材６２３が配置されている。
【０１０４】
この定着ユニット６は、図１２に示すように、加熱ローラ６ａと加圧ローラ６ｂとの圧接部（いわゆる定着ニップ部と呼ばれる。）６００において、搬送される用紙Ｐ上の未定着トナーを加熱ローラ６ａにより加熱して溶融し、該加熱ローラ６ａと加圧ローラ６ｂとの圧接力による用紙Ｐ上への投鋲作用で、未定着トナーを用紙Ｐ上に定着するようになっている。
【０１０５】
給紙トレイ８は、画像情報が出力（印字）されるシート（用紙）を複数枚蓄積しておくためのものであり、露光ユニット１、現像器２、感光体ドラム３、帯電器４、除電装置４１、クリーナユニット５、定着ユニット６等で構成される画像形成部１４の下側に構成されている。この給紙トレイ８の排紙側上部には、用紙ピックアップローラ８ａが配置されている。
【０１０６】
この用紙ピックアップローラ８ａは、給紙トレイ８内に積載収容された用紙Ｐを最上層から１枚ずつピックアップし、下流側に向かって（便宜上の用紙Ｐの流れ出し側（カセット側）を上流、排紙側を下流とする。）用紙搬送路７上のレジストローラ（「アイドルローラ」とも称する。）１５側に搬送するようになっている。
【０１０７】
本実施形態に係る画像形成装置１Ａでは、高速印字処理を行うことを目的とする為、画像形成部１４の下方に定型サイズの用紙Ｐを各々のトレイに５００〜１５００枚収納可能な複数の給紙トレイ８が配置され、一方、装置側面には複数の用紙種類を多量に収納可能な大容量給紙カセット８１が配置されるとともに、該大容量給紙カセット８１の上方に、主に不定型サイズの印字等に対応する手差しトレイ８２が設けられている。
【０１０８】
排紙トレイ９は、手差しトレイ８２とは反対側の装置側面に配置されている。また、排紙トレイ９に変わって、排紙用紙の後処理装置（ステープル、パンチ処理等を行う装置）や複数段排紙トレイ等をオプションとして配置することも可能な構成となっている。
【０１０９】
用紙搬送路７は、前述した感光体ドラム３と給紙トレイ８との間に構成され、給紙トレイ８から供給される用紙Ｐを一枚ずつ転写機構１０に搬送し、転写機構１０において、感光体ドラム３からトナー像が転写された用紙を定着ユニット６に搬送し、定着ユニット６において、未定着トナー像を用紙に定着した後に、指定された処理モードに応じて形成された用紙搬送路や分岐爪によって反転搬送ローラ１８やスイッチバックローラ１９を用いて用紙を搬送するように構成されている。
【０１１０】
次に、本実施形態に係る画像形成装置１Ａの制御系について図面を参照して説明する。
図１３は本実施形態に係る画像形成装置の電気制御部の構成を示すブロック図である。
【０１１１】
本実施形態に係る画像形成装置１Ａは、図１３に示すように、画像の読み取り処理、画像処理、画像形成処理、および用紙Ｐの搬送処理等をＲＯＭ（Read Only Memory）５５に予め記憶されたプログラムにしたがって中央処理ユニット（ＣＰＵ）５４がＲＡＭ（Random access Memory）５６等の一時的記憶手段を用いて処理を実行する。
【０１１２】
尚、ＲＯＭ５５やＲＡＭ５６に代えてＨＤＤ（ハードディスクドライブ）などの記憶手段を用いることができる。
【０１１３】
画像形成装置１Ａにおいて、スキャナ部２２によって読み取った原稿の画像情報（原稿画像データ）、または、図示しない通信ネットワークに繋がれた各端末装置から送信された原稿画像情報は、通信処理部５８を介して画像処理部５７に入力されるようになっている。
【０１１４】
画像処理部５７は、ＲＡＭ５６等の記憶部に記憶された原稿画像情報を印字（用紙への画像形成）に適した印字用画像に上記のプログラムによって処理するものである。
【０１１５】
印字用画像情報は画像形成部１４に入力される。
画像形成部１４、用紙搬送部（用紙搬送路７等において用紙の各種検出・制御を行う。）５９、定着ユニット６、排紙処理部（排紙ローラ１７において用紙の各種の検出・制御を行う。）６０は、各々の駆動制御部６２と連動している。
【０１１６】
用紙搬送部５９によって搬送される用紙は、印字工程（画像形成部１４においての画像情報の印字処理）と、その後に、その印字処理された用紙に対する定着工程（定着ユニット６）を経て用紙排出部（排紙トレイ９）に排出されるようになっている。
尚、用紙搬送部５９には、レジスト前検知スイッチ５９６や図示しない定着検知スイッチ、および排紙検知スイッチ等の検出信号が入力されるようになっている。
【０１１７】
レジスト前検知スイッチ５９６は、レジストローラ１５に用紙が到達したか否かを検出するスイッチである。定着検知スイッチは、定着ユニット６に用紙が到達したか否かを検出するスイッチである。排紙検知スイッチは、用紙が排紙された否かを検出するスイッチである。
【０１１８】
また、画像形成装置１Ａには、運転条件設定部７７が設けられている。
この運転条件設定部７７は、操作スイッチ類７６によって使用者が設定した画像形成要求または記録媒体（用紙）の種類等の画像形成条件に応じて、画像形成装置１Ａの画像形成、または搬送条件等の運転条件を設定するものである。
【０１１９】
また、画像形成装置１Ａは、設定された前記運転条件にしたがって、読み取り部（スキャナ部２２）、用紙搬送部５９、画像形成部１４、転写機構１０、定着ユニット６および排紙処理部６０などの駆動用アクチュエータである原稿読み取り駆動部６４、用紙搬送駆動部６６、反転搬送駆動部６７、印字処理駆動部６８、定着駆動部７０、排紙駆動部７２及び大容量給紙カセット（用紙供給装置）８１の動作、すなわちＲＯＭ５５に記憶されたプログラムに基づくＣＰＵ５４の指令にしたがって同期した動作処理を行うようになっている。
【０１２０】
原稿読み取り駆動部６４は、スキャナ部２２の駆動用アクチュエータである。
用紙搬送駆動部６６は、用紙搬送部５９、具体的には、上述の用紙搬送路７上の用紙ピックアップローラ８ａ、レジストローラ１５の駆動用モータである。
反転搬送駆動部６７は、反転搬送ローラ１８やスイッチバックローラ１９の駆動用モータである。
印字処理駆動部６８は、感光体ドラム３の駆動用モータである。
定着駆動部７０は、定着ユニット６の加熱ローラ６ａおよび加圧ローラ６ｂの駆動用モータである。
排紙駆動部７２は、排紙ローラ１７などの駆動用モータである。
【０１２１】
これらの各駆動部の駆動用モータは、それぞれ同じまたは異なるモータを駆動源として適宜に動力伝達機構を介して構成できる。
【０１２２】
さらに、画像形成装置１Ａには、オプション構成７４として、後処理装置（ステープル、パンチ、複数段排紙トレイ、シフター等々）、自動原稿読み取り装置（自動原稿処理装置１Ａ２等）、大容量給紙カセット８１等が配置可能であり、それらオプション構成７４は画像形成装置１Ａの制御部とは別に各々のオプション構成７４内に制御部７４ａを持ちながら、装置とのタイミング調整を、前記通信処理部５８を介して同期するように構成されている。
【０１２３】
記録媒体検出手段７８は、定着ユニット６または搬出部に用紙の先端が到達することを検出するものである。具体的には、記録媒体検出手段７８は、用紙搬送路７入り口において用紙を導入するレジストローラ１５から用紙が送り出された後の用紙の搬送時間を計測する搬送時間計測手段７９ａと、このレジストローラ１５から制御対象の定着ユニット６および排紙ローラ１７のそれぞれまでの距離と用紙の搬送速度に基づき、用紙搬送路７における用紙の搬送タイミングを決定する搬送タイミング決定手段７９ｂとを有している。
【０１２４】
また、記録媒体検出手段７８は、本実施形態では、定着ユニット６および排紙ローラ１７のそれぞれに用紙が到達する（突入する）タイミングを、搬送タイミング決定手段７９ｂによって検出した記録媒体の搬送タイミングに基づいて検出するようにしている。
【０１２５】
以上のように構成された画像形成装置１Ａの装置本体１Ａ１の外周側面には、図１〜図３に示す上述した第１実施形態に係る外装構造１００が構成されている。
【０１２６】
画像形成装置１Ａの外装構造１００において、放熱用パネル１１２は、定着ユニット６の熱源（発熱源部）６１４、電源基板（図示省略）の放熱部材部、印字処理が終了した用紙Ｐが排出搬送される用紙搬送路（搬送部）７及び画像形成装置１Ａに搭載されるスキャナ部（画像読取装置）２２の光源２２ａのホームポジションに対応する位置に配置されている。
【０１２７】
機内飛散用パネル（浮遊汚染物回収パネル体）１１３は、画像形成部１４における現像器（現像部）２のトナー飛散が生じる部分または画像を形成する画像形成部（プロセスユニット）１４のクリーナユニット（クリーニング部）５に対応する位置に配置されている。
【０１２８】
以上のように構成したので、本実施形態によれば、遮蔽用パネル１１１、放熱用パネル１１２及び機内飛散用パネル１１３をそれぞれ別体に構成したので、装置本体１Ａ１側に設けられた枠体１２０を介して画像形成装置１Ａの画像形成部１４、定着ユニット６、スキャナ部２２、クリーナユニット５等の処理態様に応じてそれぞれ遮蔽用パネル１１１、放熱用パネル１１２、及び機内飛散用パネル１１３を適宜に組合せて画像形成装置１Ａの外装を簡単に構成することができる。しかもパネルの外観形状を同一に構成しているので、画像形成装置１Ａの仕様変更に伴い処理態様に変更が生じても簡単に外装のレイアウトを変更することができる。
【０１２９】
すなわち、本実施形態によれば、パネル体を変更するだけで、例えば排熱が必要な部位から局部的に効率よく排熱したり、装置内に生じる浮遊汚染物を局部的に回収処理することができるので、基本的な外装構造を大きく変更することなく容易に最適な外装のレイアウトを行なうことができる。
【０１３０】
これにより、画像形成装置１Ａが熱影響により不具合を生じることなく、また、装置内に生じる浮遊汚染物により形成された画像や画像が転写された用紙Ｐの品位を低下させることなく高品位な画像出力を実現できる。
【０１３１】
尚、本発明は、上述した実施形態において説明した画像形成装置に限定されるものではなく、本実施形態とは異なる構成よりなる画像形成装置などにも展開が可能であり、また、装置内の通気や浮遊汚染物の回収処理を必要とするものであれば、本発明に係る外装構造を構成する装置を限定するものではない。
【図面の簡単な説明】
【０１３２】
【図１】（ａ）は本発明の第１実施形態に係る装置の外装構造の構成を示す平面視による概略図、（ｂ）は前記外装構造の構成を示す側面視による概略図である。
【図２】前記外装構造を構成するパネル体の構成を示す説明図であって、（ａ）は遮蔽用パネルの構成を示す側面図、（ｂ）は放熱用パネルの構成を示す側面図、（ｃ）は機内飛散用パネルの構成を示す側面図である。
【図３】前記外装構造を構成する枠体の構成を示す部分説明図である。
【図４】第１実施形態に係る外装構造の一実施例の構成を示す平面図である。
【図５】図４における外装構造のＡ−Ａ断面矢視図である。
【図６】図４における外装構造のＢ−Ｂ断面矢視図である。
【図７】前記枠体の構成の変形例を示す部分説明図である。
【図８】前記外装構造の構成の変形例を示す平面図である。
【図９】図８における外装構造のＣ−Ｃ断面矢視図である。
【図１０】図８における外装構造のＥ−Ｅ断面矢視図である。
【図１１】本発明の第２実施形態に係る外装構造が採用された画像形成装置の全体の構成を示す説明図である。
【図１２】前記画像形成装置の装置本体の構成を示す部分詳細図である。
【図１３】前記画像形成装置の電気制御部の構成を示すブロック図である。
【図１４】従来の装置の外装構造の一例の構成を示す平面図である。
【図１５】前記外装構造の構成を示す側面図である。
【符号の説明】
【０１３３】
１Ａ  画像形成装置
１Ａ１  装置本体
２  現像器（現像部）
３  感光体ドラム（静電潜像担持体）
５  クリーナユニット（クリーニング部）
６  定着ユニット（定着装置）
７  用紙搬送路（搬送部）
１０  転写機構
１０Ａ  転写ユニット
１４  画像形成部（プロセスユニット）
２２  スキャナ部（画像読取装置）
２２ａ  光源
１００，２００，４００  外装構造
１１０，２１０，３１０，４１０  パネル体
１１１，２１１，４１１  遮蔽用パネル（遮蔽用パネル体）
１１１ａ，１１２ａ，１１３ａ  フック
１１１ｂ，１１２ｂ，１１３ｂ，３２１ｂ  取付孔
１１２，２１２，４１２  放熱用パネル（放熱用パネル体）
１１２ｃ，１１３ｃ，２１２ｃ，４１２ｃ  通風孔
１１３，２１３  機内飛散用パネル（浮遊汚染物回収パネル体）
１１４，２１４，４１４  吸気ファン
１１５  排気ファン
１１６  フィルタ
１２０，２２０，３２０，４２０  枠体
１２１  横バー
１２２，３２２  横枠
１２２ａ，３２１ａ  ねじ孔
１３０  ビス
２１１ｄ，２１２ｄ，４１１ｄ，４１２ｄ  上端部
２１１ｅ，２１２ｅ，４１１ｅ，４１２ｅ  下端部
２１１ｆ，２１２ｆ，４１１ｆ，４１２ｆ  一側端部
２１１ｇ，２１２ｇ，４１１ｇ，４１２ｇ  他側端部
２１５  熱源
３２１  縦枠
３２３  開口部
６１４  熱源（発熱源部）
Ｄ０  間隙
Ｐ  用紙
【図１】
2008015124.tif 000003
【図２】
2008015124.tif 000004
【図３】
2008015124.tif 000005
【図４】
2008015124.tif 000006
【図５】
2008015124.tif 000007
【図６】
2008015124.tif 000008
【図７】
2008015124.tif 000009
【図８】
2008015124.tif 000010
【図９】
2008015124.tif 000011
【図１０】
2008015124.tif 000012
【図１１】
2008015124.tif 000013
【図１２】
2008015124.tif 000014
【図１３】
2008015124.tif 000015
【図１４】
2008015124.tif 000016
【図１５】
2008015124.tif 000017